(57)【要約】【課題】供給ローラに記録媒体が巻き付いた場合であっても、これを容易に除去できる液体塗布装置を提供する。【解決手段】シートに液体を塗布する塗布ローラと、前記塗布ローラに前記液体を供給する供給ローラと、前記塗布ローラと共に前記シートを挟持する加圧ローラと、前記液体が塗布されたシートを前記塗布ローラから分離する第一分離部と、前記第一分離部で分離されず供給ローラ側に至ったシートを分離する第二分離部と、前記第二分離部において分離されたシートの少なくとも一部を収容するシート収容部と、を備える液体塗布装置による。【選択図】図７
2019150758.tif 000002
【特許請求の範囲】
【請求項１】
シートに液体を塗布する塗布ローラと、
前記塗布ローラに前記液体を供給する供給ローラと、
前記塗布ローラと共に前記シートを挟持する加圧ローラと、
前記液体が塗布されたシートを前記塗布ローラから分離する第一分離部と、
前記第一分離部で分離されず供給ローラ側に至ったシートを分離する第二分離部と、
前記第二分離部において分離されたシートの少なくとも一部を収容する収容空間を形成するシート収容部と、
を備えることを特徴とする液体塗布装置。
【請求項２】
前記第一分離部は前記塗布ローラに非接触状態で保持される爪状部材であり、
前記第二分離部は前記供給ローラに接触状態で保持される爪状部材である、
請求項１に記載の液体塗布装置。
【請求項３】
前記シートを前記塗布ローラと前記加圧ローラで挟持される位置に導くガイド部を備え、
前記ガイド部は、前記シートの搬送方向に直交する上下方向を規制する上側ガイド板と下側ガイド板から構成され、
前記シート収容部は、前記下側ガイド板に設けられている、
請求項１または２に記載の液体塗布装置。
【請求項４】
前記下側ガイド板は、回転軸を中心に回転可能な構造を備え、
前記シート収容部は、前記回転軸を回転中心として１８０°以上の回動が可能である、
請求項３に記載の液体塗布装置。
【請求項５】
前記下側ガイド板は、前記塗布ローラと前記加圧ローラの間に前記シートが突入する角度を調整する調整機構を備える、
請求項３または４に記載の液体塗布装置。
【請求項６】
前記供給ローラは、前記液体を貯留する液体貯留部を含む液体供給ケースに収容されていて、
前記シート収容部は、前記液体供給ケースの外壁に設けられている、
請求項１または２に記載の液体塗布装置。
【請求項７】
前記供給ローラは、複数のローラから構成される多段ローラであり、
前記液体を液体貯留部から汲み上げる第一供給ローラと、汲み上げられた液体が前記塗布ローラにおいて前記シートに塗布される量を均一にするための第二供給ローラと、第二供給ローラにおいて均一にされた処理液を前記塗布ローラに供給する第三供給ローラと、を含む、
請求項１乃至６のいずれか一項に記載の液体塗布装置。
【請求項８】
前記加圧ローラを前記塗布ローラに押圧することをサポートするサポートローラを備える、
請求項１乃至７のいずれか一項に記載の液体塗布装置。
【請求項９】
前記塗布ローラは、前記供給ローラから離れる方向に付勢されていて、
前記加圧ローラが加圧している状態では前記供給ローラに接触し、前記加圧ローラが脱圧した状態では前記供給ローラに接触しない位置に移動する、
請求項１乃至８のいずれか一項に記載の液体塗布装置。
【請求項１０】
シートに液体を塗布する液体塗布装置と、
前記液体塗布装置に前記シートを搬入し、液体が塗布されたシートを搬送する搬送装置と、を備え、
前記液体塗布装置は、請求項１乃至９のいずれか一項に記載の液体塗布装置である、
ことを特徴とする液体塗布搬送装置。
【請求項１１】
前記液体塗布装置は、スライドレールを介して筐体に保持されていて、前記液体塗布装置の外部に移動可能に構成されている、
請求項１０に記載の液体塗布搬送装置。
【請求項１２】
シートに画像を形成する画像形成部と、
前記画像を形成する前のシートに液体を塗布する液体塗布部と、を備え、
前記液体塗布部は、請求項１乃至９のいずれか一項に記載の液体塗布装置である、
ことを特徴とする画像形成装置。
【請求項１３】
シートに画像を形成する画像形成装置と、
前記シートに液体を塗布する液体塗布装置と、
を有する画像形成システムであって、
前記液体塗布装置は、請求項１乃至９のいずれか一項に記載の液体塗布装置である、
ことを特徴とする画像形成システム。
【発明の詳細な説明】
【技術分野】
【０００１】
本発明は、液体塗布装置、液体塗布搬送装置、画像形成装置および画像形成システムに関する。
【背景技術】
【０００２】
記録媒体に液体を塗布する液体塗布装置と、液体塗布装置の後段に配置され、液体が塗布された記録媒体に画像形成を施す画像形成装置と、を含む画像形成システムが知られている。液体塗布装置において、記録媒体への液体の塗布には、ローラ状の部材（塗布ローラ）が用いられる。この塗布ローラに記録媒体を接触させながら搬送し、液体が塗布された記録媒体を画像形成装置へと搬送する。そこで当該液体塗布装置には、記録媒体が塗布ローラに巻き付かないようにするため、塗布ローラよりも搬送方向下流側にローラから記録媒体を分離する機構を備える。
【０００３】
従来の液体塗布装置において、記録媒体を塗布ローラから分離するために爪状の部材を塗布ローラに接触させることで、塗布ローラに巻き付こうとする記録媒体を分離させる構成が開示されている（例えば、特許文献１を参照）。
【発明の概要】
【発明が解決しようとする課題】
【０００４】
特許文献１に開示されている構成のように、塗布ローラに爪状部材を接触させるようにすると、爪状部材が接触した塗布ローラの部分から液体が除去されてしまい、記録媒体へ塗られる液体にスジ状のムラが生ずることになる。記録媒体に塗布される当該液体は、画像形成における品質を高める作用を有するものであるから、液体の塗布ムラがあると、画像形成結果の質の低下を誘発する原因となりうる。
【０００５】
液体の塗布ムラを防ぐには、塗布ローラの表面に接触する部材を用いなければよいが、その場合は塗布ローラに巻き付こうとする記録媒体の分離が不十分になり、塗布ローラに液体を供給するローラ（供給ローラ）にまで記録媒体が巻き付いてしまう事態になる。供給ローラは、液体塗布装置の内部に配置されるので、これに記録媒体が巻き付くと除去が困難である。また、供給ローラは塗布ローラよりも液体の付着量が多いので、これに巻き付いた記録媒体を引っ張って除去しようとしても、多量の液体により弱くなっている記録媒体は、ちぎれて内部に残留してしまう可能性も高い。すなわち、塗布ローラに記録媒体が巻き付くことを防ぐことと、塗布ムラを防止することを両立させるには課題がある。
【０００６】
本発明は、塗布ローラに塗布ムラを生じさせる構成を用いることなく、供給ローラに記録媒体が巻き付いた場合であっても、これを容易に除去できる液体塗布装置を提供することを目的とする。
【課題を解決するための手段】
【０００７】
上記目的を達成するために、本発明は、液体塗布装置に関するものであって、シートに液体を塗布する塗布ローラと、前記塗布ローラに前記液体を供給する供給ローラと、前記塗布ローラと共に前記シートを挟持する加圧ローラと、前記液体が塗布されたシートを前記塗布ローラから分離する第一分離部と、前記第一分離部で分離されず供給ローラ側に至ったシートを分離する第二分離部と、前記第二分離部において分離されたシートの少なくとも一部を収容するシート収容部と、を備えることを特徴とする。
【発明の効果】
【０００８】
本発明によれば、塗布ローラに塗布ムラを生じさせる構成を用いることなく、供給ローラに記録媒体が巻き付いた場合であっても、これを容易に除去できる。
【図面の簡単な説明】
【０００９】
【図１】本発明に係る画像形成システムの実施形態である印刷システムのシステム構成図。
【図２】本発明に係る液体塗布搬送装置の内部構造の実施形態を示す構成図。
【図３】本実施形態に係る塗布装置の例を示す図。
【図４】本実施形態に係る塗布装置において塗布ローラに巻き付いた用紙を除去するときの状態を示す図。
【図５】比較例の塗布装置における供給ローラ側に用紙が巻き付いた状態を示す図。
【図６】本発明に係る液体塗布装置の実施形態である塗布装置の特徴的な構成を示した図。
【図７】本実施形態に係る塗布装置において塗布ローラに巻き付いた用紙がシート収容部に送られる様子を示した図。
【図８】本実施形態に係る塗布装置において塗布ローラに巻き付いた用紙を取り除くときの状態を示した図。
【図９】本実施形態に係る塗布装置において供給ローラに巻き付いた用紙を取り除くときの状態を示した図。
【図１０】本実施形態に係る塗布装置が備える用紙の突入角度を調整する調整機構を示す図。
【図１１】別の実施形態に係る塗布装置において、塗布ローラに巻き付いた用紙がシート収容部に送られる様子を示した図。
【図１２】別の実施形態に係る塗布装置において、供給ローラに巻き付いた用紙を取り除く時の状態を示した図。
【発明を実施するための形態】
【００１０】
以下、本発明に係る液体塗布装置、液体塗布搬送装置、画像形成装置および画像形成システムの実施形態について、図面を参照しながら説明する。なお、以下に説明する実施形態は、本発明の好適な実施形態であるので、技術的に好ましい種々の限定が付されている。しかし、本発明の範囲は、以下の説明によって不当に限定されるものではなく、また、本実施形態で説明される構成の全てが本発明の必須の構成要件ではない。
【００１１】
まず、本発明に係る画像形成システムの実施形態について説明する。図１に示すように、画像形成システムの実施形態である印刷システム１００は、給送装置１１０と、前処理液塗布装置１２０と、プリンタ１３０と、乾燥装置１４０と、媒体排出装置１５０と、を備える。なお、前処理液塗布装置１２０は、本発明に係る液体塗布搬送装置の実施形態に相当する。
【００１２】
給送装置１１０は、シート状の記録媒体を、搬送経路下流に設けられた前処理液塗布装置１２０に供給する。給送装置１１０から供給されるシート状の記録媒体は、例えば、カット紙などである。以下、本実施形態の説明において、シート状の記録媒体を「用紙８」として表記する。
【００１３】
前処理液塗布装置１２０は、インクのにじみ防止や浸透補助などの画質向上のため作用を有する液体を用紙８に塗布する塗布装置１２と、液体が塗布された用紙８を画像形成装置であるプリンタ１３０に向けて搬送する搬送ローラ７０を含む搬送装置と、を備える。なお、図２において搬送ローラ７０は一部にのみ符号を付している。塗布装置１２は、本発明に係る液体塗布装置の実施形態に相当する。なお、塗布装置１２の詳細については、後述する。また、本実施形態において、前処理液塗布装置１２０において用紙８に塗布される液体は、「前処理液７」と表示する。
【００１４】
前処理液塗布装置１２０は、図２に示すように、反転パス６０と、反転パス６０に用紙８を搬送するための分岐路を形成する分岐パス５０と、前記した搬送ローラ７０と、を備える。両面に前処理液７を塗布する場合には、先に用紙８の一方の面（表側）に前処理液７を塗布した後、分岐パス５０を介して反転パス６０に用紙８を搬送して反転させる。反転させた用紙８を再び塗布装置１２に通過させて他方の面（裏側）にも前処理液７を塗布する。以上のように両面において前処理液７が塗布された用紙８は、分岐パス５０を通過してプリンタ１３０に搬送される。
【００１５】
プリンタ１３０は、前処理液塗布装置１２０において前処理液７が塗布された用紙８に、例えばインク滴を吐出して画像形成を施す画像形成部に相当する。
【００１６】
乾燥装置１４０は、プリンタ１３０により形成された用紙８の表側の画像を乾燥させる。用紙８の表裏に印刷する場合、用紙８は乾燥装置１４０からプリンタ１３０への戻りパスにより反転されて、プリンタ１３０で表裏が反転された用紙８の表側（反転前の裏側）にインク滴を吐出して所望の画像が形成される。その後、乾燥装置１４０において用紙８の表側（反転前の裏側）の画像を乾燥させる。その後、用紙８は媒体排出装置１５０に排出される。
【００１７】
なお、上記にて説明をした各装置が備える機能を、プリンタ１３０の内部に集約した画像形成装置は、本発明に係る画像形成装置の実施形態に相当するものとなる。その場合、上記の各装置が備える構造は、その大きさや詳細な部分において異なる構造からなるが、主な機能は同等である。
【００１８】
本発明に係る画像形成システムおよび画像形成装置は、例えば、液体吐出記録方式であって、本明細書において記載される発明および実施形態も液体吐出記録方式を前提とするものである。本実施形態に係る印刷システム１００は、インクを吐出する記録ヘッド（液体吐出ヘッド）を備え、搬送される媒体に対して記録ヘッドからインクが吐出されて、媒体に画像形成を行うものである。例えば、液体吐出ヘッドが主走査方向に移動しながらインク滴を吐出して画像を形成するシリアル型インクジェットプリンタや、液体吐出ヘッドが移動しない状態でインク滴を吐出して画像を形成するライン型ヘッドを備えるライン型インクジェットプリンタが相当する。
【００１９】
なお「媒体」とは、本実施形態では用紙８であるが、画像形成が行われる対象を紙に限定するものではなく、ＯＨＰシートなど搬送可能なシート状の部材を含む。媒体は、インク、その他の像を形成するための液体などが付着可能なものを意味する。被記録媒体あるいは記録媒体、記録紙、記録用紙などとも称される。また、「画像形成」と同義語として、記録、印字、印写、印刷なども使用する。
【００２０】
そこで、本明細書においては、液体吐出記録方式の「画像形成装置（インクジェットプリンタ）」は、紙、糸、繊維、布帛、皮革、金属、プラスチック、ガラス、木材、セラミックス等の被記録媒体に液体を吐出して画像形成を行う装置を意味する。
【００２１】
「画像形成」とは、文字や図形等の意味を持つ画像を媒体に対して付与することだけでなく、パターン等の意味を持たない画像を媒体に付与すること（単に液滴を媒体に着弾させること）をも意味する。
【００２２】
また本明細書における「インク」とは、一般的にインクと称されるものに限るものではなく、吐出されるときに液体状になり、記録ヘッドを介して吐出可能なものを含むものである。例えば、ＤＮＡ試料、レジスト、パターン材料なども含まれる。
【００２３】
また、「画像」とは平面的なものに限らず、立体的に形成されたものに付与された画像、または立体自体を３次元的に造形して形成された像も含まれる。
【００２４】
液体吐出方式の画像形成装置において、特にインクジェット方式の画像形成は、低騒音、低ランニングコストに加えて、カラー化が容易といった利点を有していることから、近年、急速に普及してきている。しかし、専用紙以外のウェブに画像を形成すると、滲み、濃度、色調や裏写りなどといった初期の品質問題に加えて、耐水性、耐候性といった画像の堅牢性に関わる問題を有しているため、これらの問題を解決する提案がなされている。
【００２５】
それらの解決手段として、記録媒体である用紙にインク滴が着弾する前にインクを凝集させる機能を有する前処理液を塗布して、画質を改善する方法がある。この前処理液を塗布する方法として、ローラを用いて媒体の全面に塗布する方法が知られている。
【００２６】
次に、本実施形態に係る前処理液塗布装置１２０が備える塗布装置１２について説明する。塗布装置１２は、本発明に係る液体塗布装置の実施形態である。まず、図３を用いて塗布装置１２の基本的な構造を説明する。後に、本発明に係る特徴的な構造の実施形態について、他の図を用いて説明することとする。図３に明示した構成と、後に説明する特徴的な構成を説明する図に示す構成とを比較することで、本実施形態おける効果について明確にする。
【００２７】
塗布装置１２は、前処理液７を貯留する液体供給ケースである前処理液供給パン１８の内部に供給ローラを構成するスクイーズローラ６と、絞りローラ５と、中間ローラ４と、が多段に配置されている。また、中間ローラ４の上方に、塗布ローラ２と、加圧ローラ９と、サポートローラ１０と、が多段に配置されている。すなわち、塗布装置１２は、複数のローラが上下方向に配置された多段ローラ構成になっている。
【００２８】
スクイーズローラ６の外周の一部は、前処理液供給パン１８の内部に貯留されている前処理液７に浸る状態になっている。スクイーズローラ６は前処理液７に接する位置関係で保持されている。スクイーズローラ６は、前処理液７を液体貯留部から汲み上げる第一供給ローラに相当する。
【００２９】
スクイーズローラ６の上方には絞りローラ５が配置されている。スクイーズローラ６と絞りローラ５の外周面は中間ローラ４からの押圧力を受けて接触するように保持されている。絞りローラ５は、スクイーズローラ６によって汲み上げられた前処理液７が、塗布ローラ２において用紙８に塗布される量を均一になるようにする第二供給ローラに相当する。
【００３０】
絞りローラ５の上方には、中間ローラ４が配置されている。中間ローラ４は、絞りローラ５と外周面が離間する状態で保持されていて、後述するように塗布ローラ２による押圧力が加わったときに互いに接触するようになっている。塗布ローラ２は、絞りローラ５において均一にされた前処理液７を塗布ローラ２に供給する第三供給ローラに相当する。
【００３１】
スクイーズローラ６と、絞りローラ５と，中間ローラ４は、それぞれ回転軸を介して所定の位置に保持されていて、それぞれの回転軸にはギヤが設けられている。各ギヤは、隣接するローラ側のギヤと接しており、一方が回動すると他方も回動するようになっている。塗布装置１２は、スクイーズローラ６の駆動原としてモータ２０を備える。スクイーズローラ６がモータ２０からの駆動力を受けて回転すると、その回転軸に設けられているギヤが絞りローラ５側のギヤを回転させるので絞りローラ５も回転する。絞りローラ５が回転すると、絞りローラ５の回転軸のギヤを介して中間ローラ４へと回動力が伝達し、中間ローラ４も回転する。
【００３２】
スクイーズローラ６は回転すると、前処理液７を外周面に付着させて汲み上げるので、スクイーズローラ６が回転して掬い上げた前処理液７は、スクイーズローラ６からの回動力の伝達によって絞りローラ５の外周面の長手方向全体に付着する。このとき、絞りローラ５と中間ローラ４の外周面は接しながら回転しているので、絞りローラ５が中間ローラ４の外周面の長手方向全体に前処理液７を塗布されて移る。このようにして、スクイーズローラ６で汲み上げられた前処理液７は、絞りローラ５を経て中間ローラ４に到達する。
【００３３】
中間ローラ４の上方に配置されている塗布ローラ２は、モータ１６により回転駆動する。この回転駆動によって、加圧ローラ９との間に挟持している用紙８を搬送する。塗布ローラ２の回転軸に設けられているギヤと、加圧ローラ９の回転軸に設けられているギヤは接している。加圧ローラ９側のギヤとサポートローラ１０の回転軸に設けられているギヤは接している。したがって、モータ１６からのる駆動力は、ギヤを介して加圧ローラ９とサポートローラ１０の駆動力となる。
【００３４】
加圧ローラ９とサポートローラ１０は、加圧ユニット１２１に配置され、加圧ローラ９とサポートローラ１０は対で上下に動く構造になっており、モータ１７によって、塗布ローラ２への加圧と脱圧が制御される構造を備える。また、加圧ユニット１２１は、回転軸１１を回転軸として回動する構造を備える。印刷システム１００が動作して画像形成処理が実行されるときは、用紙８が前処理液塗布装置１２０に到達する前にモータ１７が作動して、サポートローラ１０と加圧ローラ９が塗布ローラ２側に加圧される。この加圧時に、加圧ローラ９が長手方向に撓むのを防止するために、サポートローラ１０が加圧ローラ９を上部から押さえている。
【００３５】
加圧ユニット１２１によって塗布ローラ２は中間ローラ４に押圧される。そして、塗布ローラ２はモータ１６によって回転することで、中間ローラ４の外周に付着している前処理液７を長手方向の全体に付着させる。加圧ユニット１２１によって加圧されている塗布ローラ２と、塗布ローラ２に直接的に加圧している加圧ローラ９との間には、用紙８が挟持されている。したがって、用紙８の一方の面は塗布ローラ２に押し付けられた状態で搬送される。このとき、用紙８の一方の面に前処理液７が塗布される。以上の構成が、用紙８に前処理液７を塗布する塗布装置１２の基本的な構成となる。
【００３６】
なお、前処理液供給パン１８は、モータ１９の駆動力によって、上下方向（供給ローラを構成するスクイーズローラ６、絞りローラ５、中間ローラ４の配列方向）に移動する構造を備える。前処理液供給パン１８は、貯留している前処理液７の貯留量や、スクイーズローラ６を介して塗布ローラ２へ前処理液７を供給する量に応じて、上下するように制御される。前処理液供給パン１８は、前処理液７を貯留する液体貯留部を含む。
【００３７】
中間ローラ４は塗布装置１２を構成するフレーム（筐体）に固定されていて、上部に配置されているサポートローラ１０、加圧ローラ９、塗布ローラ２の圧力と、下部に配置されている絞りローラ５、スクイーズローラ６の圧力を受けるように構成されている。
【００３８】
給送装置１１０から搬入された用紙８は、入口上ガイド板１３と入口下ガイド板１に挟まれた状態で、搬送ローラにより、塗布ローラ２と加圧ローラ９の間に突入する。入口上ガイド板１３と入口下ガイド板１によって、塗布ローラ２と加圧ローラ９に挟持される位置に用紙８は導かれる。すなわち、入口上ガイド板１３と入口下ガイド板１が、上側ガイド板と下側ガイド板によって構成されるガイド部に相当する。入口上ガイド板１３と入口下ガイド板１によって、用紙８は、搬送方向に上下方向の移動が規制される。これによって、用紙８が搬送路から外れることを防いでいる。
【００３９】
塗布ローラ２はモータ１６の駆動により回転する。この時、塗布ローラ２の回転軸に設けられているギヤから、加圧ローラ９の回転軸に設けられているギヤに駆動力が伝達され、加圧ローラ９のギヤからサポートローラ１０の回転軸に設けられているギヤに駆動力が伝達される。塗布ローラ２と加圧ローラ９の回転方向は逆方向になるようにギヤが設置されている。したがって、入口上ガイド板１３と入口下ガイド板１によって塗布ローラ２と加圧ローラ９との間に導かれた用紙８は、これらの回転によって搬送方向に向かう搬送力を受ける。
【００４０】
塗布ローラ２に対して搬送方向下流側には、ガイド爪３が配置されている。ガイド爪３は、塗布ローラ２と加圧ローラ９に挟持されて前処理液７を塗布された用紙８が、搬送方向に搬送されるときに、塗布ローラ２からの分離を促すものである。すなわち、曲率分離により塗布ローラ２から離れた用紙８が、出口上ガイド板１５と出口下ガイド板１４の間へとスムーズに移動できるようにするためのものである。
【００４１】
ガイド爪３は、塗布ローラ２の外周面に接触しない位置に配置されている。ガイド爪３は、用紙８の搬送中の塗布ローラ２の外周に接触しない「非接触状態」で保持される爪状部材である。すなわち、ガイド爪３は、第一分離部を構成する。ガイド爪３は、塗布ローラ２の長手方向において複数個が配置されている。なお、個数および配置間隔はガイド爪３の機能を発揮させるために必要となる個数および配置間隔であればよい。
【００４２】
ガイド爪３と塗布ローラ２の外周面との間には、任意のギャップ（隙間）が形成されている。このギャップは、各ガイド爪３それぞれがストッパーと弾性体によって保持されることで形成されるようになっている。塗布ローラ２によって前処理液７が塗布された用紙８は、通常であれば、その搬送方向先端がガイド爪３の上側の外面に沿って搬送方向に移動するので、搬送に伴って用紙８は塗布ローラ２からスムーズに出口上ガイド板１５と出口下ガイド板１４の間に導かれる。その後、用紙８は搬送装置によりプリンタ１３０へと送られる。
【００４３】
次に、図３に示した構成からなる塗布装置１２において、塗布ローラ２に用紙８が巻き付くときの例について説明する。
【００４４】
図４は、塗布ローラ２から分離されずに巻き付いて、搬送方向と異なる方向に先端部が向かってしまった用紙８を例示している。回転軸１１を中心にして回動できる加圧ユニット１２１を回動させて、図４に示すように、加圧ユニット１２１側に取り付けられている入口上ガイド板１３を上方に回動させると、入口下ガイド板１と入口上ガイド板１３との間が大きく開口する状態になる。これによって、加圧ローラ９と塗布ローラ２との間が露出され、塗布ローラ２に巻き付いている用紙８にアクセスしやすくなる。以上のように、塗布装置１２は、塗布ローラ２に巻き付いている用紙８を取り除くことは容易にできる構造を備える。
【００４５】
加圧ユニット１２１を回動させると、塗布ローラ２側に押し付けられていたガイド爪３と塗布ローラ２とのギャップが大きく開く。この状態であれば、塗布ローラ２に巻き付いた用紙８を取り除くときにガイド爪３が邪魔にならず、容易に取り除くことができる状態になる。
【００４６】
塗布ローラ２に巻き付いた用紙８がさらに塗布装置１２の内部に用紙８が入り込んでしまった場合について図５を用いて説明する。図５は、塗布ローラ２に巻き付いた用紙８がガイド爪３をすり抜けてしまって塗布ローラ２から分離されず、中間ローラ４や絞りローラ５およびスクイーズローラ６にまで至った状態を例示している。図５のような状態であっても、加圧ユニット１２１を回動させることで塗布ローラ２を露出させることで、塗布ローラ２にアクセスしやすい状態にし、巻き付いている用紙８を上方に引っ張り上げて、取り除くことができる場合もある。
【００４７】
この場合、例えば、用紙８が剛性の低い薄い用紙などの場合は、前処理液７が付着した状態で塗布ローラ２の上部に引き抜こうとすると、用紙８が途中（例えば中間ローラ４と絞りローラ５の間など）でちぎれてしまうこともある。この場合、供給ローラ（中間ローラ４、絞りローラ５、スクイーズローラ６）のいずれか、または、複数において、用紙８の断片が取り除けない状態で残ることになる。このように、供給ローラに巻き付いた用紙８を取り除くには、分解清掃などが必要になり、容易に用紙８を取り除くことはできない状態になる。
【００４８】
本実施形態に係る塗布装置１２は、塗布ローラ２に巻き付いた用紙８がガイド爪３をすり抜けたとしても、その後、供給ローラの一部に巻き付いた用紙８と容易に取り除く構造を備える。この特徴的な構造について、図６を用いて説明する。
【００４９】
図６に示すように、塗布ローラ２は、塗布装置１２または前処理液塗布装置１２０の本体側に固定されたバネなどの弾性体３３により、供給ローラを構成する中間ローラ４から離れる方向に付勢されている。言い換えると、塗布ローラ２は、弾性体３３によって加圧ローラ９が配置されている方向に付勢されていて、前処理液供給パン１８の上方に押し上げられる構造になっている。すでに説明したとおり、加圧ユニット１２１は、回転軸１１を回転中心として塗布ローラ２から離れる方向に回動する。このとき、塗布ローラ２に対する加圧ローラ９からの圧力は脱圧状態になる。この脱圧状態では、塗布ローラ２に弾性体３３から加わっている付勢力によって、塗布ローラ２は中間ローラ４から離れる方向に移動する。
【００５０】
塗布ローラ２に対する加圧ユニット１２１からの圧力が加わっていない状態（脱圧状態）になると、中間ローラ４は塗布ローラ２から離れる。なお、中間ローラ４は、フレームに固定されているので、塗布ローラ２からの圧力が無くなると任意の距離を保った状態で保持される。
【００５１】
ガイド爪３は、所定の回転軸を中心にして塗布ローラ２から離れる方向に回転可能な構造になっている。
【００５２】
また、図６に示すように、中間ローラ４の搬送方向上流側近傍には、分離爪３０が配置されている。分離爪３０は、中間ローラ４の外周面に接触していて、弾性体によって、中間ローラ４の外周面に押し付けられる爪状部材である。なお、分離爪３０は、中間ローラ４の長手方向において、複数個配置されていて、それぞれにおいて弾性体による付勢がされている。したがって、中間ローラ４が回転している間も、複数の分離爪３０が中間ローラ４の外周に接触した状態になっている。すなわち、分離爪３０が第二分離部を構成する。
【００５３】
また、分離爪３０の搬送方向上流側であって、入口下ガイド板１の下方には、受け部材３１が取り付けられている。受け部材３１は、印刷システム１００で使用される用紙８における、搬送方向と直交する方向（用紙８の幅方向）の最大寸法よりも大きな寸法をもって形成されている。受け部材３１は、塗布ローラ２で分離されず、中間ローラ４側にまで巻き込まれた用紙８が、中間ローラ４の外周面に沿って巻き込まれそうになり、分離爪３０で分離された用紙８を収容する収容空間を形成する。すなわち、受け部材３１は、少なくとも用紙８の一部を収容するシート収容部を構成する。
【００５４】
通常の運用状態では、入口上ガイド板１３が加圧ユニット１２１の回動によって回動すると、入口下ガイド板１と入口上ガイド板１３との間が大きく開く。この状態において、入口下ガイド板１は、回転軸３２を中心にして、搬送方向上流側に１８０°以上回転する構造を有する。
【００５５】
次に、本実施形態に係る塗布装置１２において、塗布ローラ２から用紙８が分離できずに供給ローラ側に巻き込まれた状態について図７を用いて説明する。
【００５６】
塗布装置１２において、塗布ローラ２に用紙８が巻き付かずに正常に搬送されるときは、用紙８が塗布ローラ２と加圧ローラ９により挟持されて、上流側の入口上ガイド板１３と入口下ガイド板１の方向に進む。その後、用紙８は塗布ローラ２と中間ローラ４に挟持されながら進み、曲率分離によって塗布ローラ２から離れた用紙８はガイド爪３によって出口上ガイド板１５と出口下ガイド板１４の間への移動を促される。
【００５７】
加圧ローラ９は前処理液７が付着しても用紙８に前処理液７が付着しないよう、表面に凹凸が付いたローラとなっている。このため、用紙８は加圧ローラ９側に巻きつくことは無く塗布ローラ２側に巻きつく。したがって、ガイド爪３は塗布ローラ２の下流側にのみ配置される。
【００５８】
しかし、例えば薄紙などの剛性の低い用紙８を用いる場合は、前処理液７が付着した塗布ローラ２側に巻きついて、さらに前処理液７が付着した中間ローラ４側に張り付いてしまう場合がある。
【００５９】
塗布ローラ２の搬送方向上流側には検知センサ３５が配置されていて、塗布ローラ２の搬送方向下流側には検知センサ３６が配置されている。また、塗布ローラ２の搬送方向下流側であって、塗布ローラ２と中間ローラ４との間に巻き付き検知センサ３７が配置されている。
【００６０】
塗布ローラ２において前処理液７が塗布された用紙８が正常に搬送されているときは、検知センサ３５が用紙８を検知してから任意の時間内に検知センサ３６で用紙８を検出する。一方、原因は不明であっても、任意の時間内に検知センサ３６において用紙８が検知されなかった場合は、用紙８の搬送に異常が生じていると判断できる。この場合、制御部は、検知センサ３５と検知センサ３６の検知結果に基づいて、搬送ローラの回動を停止し、また、モータ１６やモータ２０、モータ１７の動作も停止する。これによって、用紙８の搬送が停止する。
【００６１】
任意の時間内に用紙８を検知できなかった原因が、用紙８が塗布ローラ２に巻きついていたことだとすると、検知センサ３５により用紙８が検知されてから検知センサ３６が用紙８を検知しないことで異常を判定するまでの時間において、モータ１６やモータ２０は動作している。各モータが動作している間は、塗布ローラ２は回動するので、用紙８を搬送方向に押し出そうとする。また、供給ローラもそれぞれ回動し続けている。すなわち、用紙８が塗布ローラ２に巻き付いて、かつ、供給ローラに巻き付くことができる動作が継続することになる。この場合、塗布ローラ２に巻き付いて中間ローラ４側に用紙８が移動しているならば、巻き付き検知センサ３７が用紙８を検出する。
【００６２】
したがって、任意の時間内であったとしても、巻き付き検知センサ３７が用紙８を検知したときは、モータ１６やモータ２０の動作を停止すればよい。その場合であっても、用紙８がある程度は中間ローラ４に巻き付こうと進行することになる。したがって、モータ１６及びモータ２０の動作を停止するまでのタイムラグの間に、用紙８が塗布ローラ２から中間ローラ４、絞りローラ５へと巻き付くように移動することが起きうる。
【００６３】
これに対応するために、本実施形態に係る塗布装置１２は、中間ローラ４の外周面に接触する分離爪３０を備えている。分離爪３０は、中間ローラ４に対して、搬送方向上流側に配置されている。塗布ローラ２に巻き付いて中間ローラ４にまで用紙８が搬送されてきたときは、分離爪３０によって中間ローラ４から分離され、そのままシート収容部である受け部材３１へと導かれるように構成されている。
【００６４】
したがって、分離爪３０によって、中間ローラ４以降のローラ（絞りローラ５やスクイーズローラ６）にまで用紙８が搬送されることを防止し、除去が容易な構造を備える受け部材３１へと、用紙８が導かれる。
【００６５】
分離爪３０は、供給ローラに対して接触式の第二分離部であって、樹脂材等で整形された部品からなる。一方、中間ローラ４は、ステンレス鋼材などの金属材料で構成されている。したがって、分離爪３０よって中間ローラ４の外周面（前処理液７がと付着する面）に傷等がつくことはなく、前処理液７のムラも生じさせない。
【００６６】
図７に例示したように、用紙８が塗布ローラ２から正常に分離されずに巻き付いたままになると、用紙８は中間ローラ４側に至ることになる。そのような状態になっても、本実施形態に係る塗布装置１２は、図８に例示するように、用紙８を容易に取り出すことができる。
【００６７】
受け部材３１が設けられている入口下ガイド板１と、入口下ガイド板１と対向する入口上ガイド板１３の間は、図８に示すように大きく開く構造になっている。巻き付き検知センサ３７によって用紙８の巻き付きが検知されたとき、塗布装置１２の動作は停止する。その後、回転軸１１を回転中心として加圧ユニット１２１を回動させると、加圧ユニット１２１に接合されている入口上ガイド板１３も回転軸１１を回転中心として回動し、上方に移動する。これによって、塗布ローラ２の上部が大きく開口されて露出するので、上部から用紙８を取り除くこともできる。
【００６８】
しかし、この場合は、用紙８が中間ローラ４側まで巻き付いた場合には、上部からだけでは用紙８を全て取り除くことは難しい。特に薄紙などの場合、前処理液７が付着することでより切れやすくなり、上部から無理に引き抜こうとすると途中で切れて取り除くことが困難になる。そこで、加圧ユニット１２１を回動させて塗布ローラ２への加圧ローラ９からの加圧を無くすと、弾性体３３の弾性力の作用によって、塗布ローラ２が上方に移動する。これによって、塗布ローラ２と中間ローラ４の間には隙間が生じ、動作時のように接触状態から分離状態に移行する。したがって、中間ローラ４側にまで巻き付いている用紙８が塗布ローラ２と中間ローラ４で挟み込まれている状態から開放されて取り除きやすくなる。
【００６９】
また、中間ローラ４に巻きついてしまった場合でも、接触式の分離爪３０によって、用紙８は中間ローラ４から分離されて受け部材３１に向けて排出されている。したがって、用紙８が中間ローラ４に巻き付いて強く付着する状態にはならないから、用紙８をとりのぞくことは容易にできる状態になっている。
【００７０】
さらに、図８のように、中間ローラ４から分離しして受け部材３１に排出された用紙８を、塗布装置１２から容易に取り除くことができる状態になる。つまり、加圧ユニット１２１の回動とともに回動して、入口上ガイド板１３と入口下ガイド板１との間には大きく空間があく。入口下ガイド板１は、回転軸３２を回転中心として１８０°以上回動する構造を備えている。したがって、入口下ガイド板１を回動させることで、図９に示すように、受け部材３１は上方に向けた状態に移行できる。受け部材３１に用紙８を収納するときの収納口は、上方に向けたでは、開口が外側に向いた状態になる。つまり、用紙８をむき出しの状態にすることができる。これによって、受け部材３１から用紙８を容易に取り出すことができる。すなわち、中間ローラ４に巻き付いた用紙８も容易に取り除くことができる。また、前処理液７が付着した用紙８であってもちぎれたり、飛散したりすることなく、また、塗布装置１２の内部を手探りで作業する状態とは異なり、メンテンナンスをする人物への付着や衣類への付着も注意しながら簡単に清掃することができる。
【００７１】
なお、入口下ガイド板１は、回動したときに、ストッパーによって突き当たる位置で止まる構成になっている。ストッパーは、塗布装置１２の筐体、前処理液塗布装置１２０の筐体などに固定されているものである。
【００７２】
以上説明をした本実施形態に係る前処理液塗布装置１２０によれば、用紙８に前処理液７をムラ無く塗布することができるように塗布ローラ２から分離がされず塗布装置１２の内部側にまで用紙８が巻き込まれそうになっても、それを効果的に防止することができる。
【００７３】
また、塗布ローラ２において分離されず、中間ローラ４に用紙８が巻き付いたとしても、さらに内部に用紙８が進入することなく、取り出し容易な位置に回収機構を備える。
【００７４】
回収機構は、塗布装置１２の上方を開放した状態で１８０°以上回動する構造を有しているので、塗布ローラ２から中間ローラ４にまで巻き付いた用紙８であっても容易に回収して清掃することができる。
【００７５】
本実施形態に係る塗布装置１２は、前処理液塗布装置１２０に対してスライドレールなどを介して設置されている。すなわち、塗布装置１２は、前処理液塗布装置１２０に搭載される液体塗布部であって、前処理液塗布装置１２０の外部に移動可能に構成されている。これによって、塗布装置１２から用紙８を取り除く作業を行いやすい状態にするために、容易に取り出しできるように構成されている。したがって、上記にて説明したように、用紙８を取り出すために加圧ユニット１２１を回動するときは、塗布装置１２を前処理液塗布装置１２０から引き出した状態で行う。なお、この場合、引き出される対象は、塗布装置１２（入口下ガイド板１，入口上ガイド板１３，出口下ガイド板１４，出口上ガイド板１５含む）である。すなわち、上記において、図４以降を用いて説明した状態では、加圧ユニット１２１を回動して、入口下ガイド板１を反転する操作は、塗布装置１２を前処理液塗布装置１２０から引き出した状態で行われる。そこで、塗布ユニットともに受け部材３１も一体で装置から引き出し可能であることが好ましい。
【００７６】
本実施形態に係る塗布装置１２が備える入口下ガイド板１と入口上ガイド板１３とで構成される入口側ガイドは、塗布ローラ２と加圧ローラ９との間に用紙８を導く搬送路を構成する。このうち、入口下ガイド板１は、塗布ローラ２と加圧ローラ９のニップ部に用紙８が突入する位置を規定する部材に当たる。
【００７７】
本実施形態に係る塗布装置１２は、入口下ガイド板１の塗布ローラ２側の高さを調整できる高さ調整機構を備える。入口下ガイド板１の高さ調整機構は、入口下ガイド板１の塗布ローラ２側の端部の高さ位置を調整可能な調整ネジ４２と、調整ネジ４２が所定の位置で固定される固定部４３から構成される。固定部４３は、前処理液塗布装置１２０の筐体内部の壁面に設けられた平面部でいいし、前処理液供給パン１８の外壁面から突出させて設けた平面部でもよい。
【００７８】
調整ネジ４２は、塗布ローラ２の長手方向の両端部に相当する位置のそれぞれに設けられている。調整ネジ４２の先端部の高さを変えることで、用紙８が塗布ローラ２と加圧ローラ９の間に突入する角度が調整される。したがって、この角度を塗布ローラ２への巻き付きが発生しにくい角度に調整することで、用紙８のローラへの巻き付きを低減させることができる。
【００７９】
次に、本発明に係る塗布装置の別の実施形態について図１１および図１２を用いて説明する。図１１および図１２は本実施形態に係る塗布装置１２が備える用紙回収構造の別例である。すでに説明をした実施形態では、入口下ガイド板１に受け部材３１を設けていた。そして、入口下ガイド板１を回動させる構造を備えることで、用紙８を取り出すときには、受け部材３１をむき出しにできる構成を備えていた。したがって、入口上ガイド板１３を回動させて入口下ガイド板１の回動スペースを大きく確保する必要があった。
【００８０】
本実施形態に係る塗布装置１２は、入口下ガイド板１の回動スペースを確保することなく、中間ローラ４に巻き付いた用紙８の取り出しを容易に行えるようにする構造に関するものである。図１１に示すように、受け部材３１ａは、前処理液供給パン１８の外壁に固定されている箱状の部材であって、搬送方向上流側の壁面は、取り出し口を開閉する扉３４になっている。
【００８１】
塗布ローラ２から離されなかった用紙８が中間ローラ４に巻き付こうとしても、分離爪３０によって中間ローラ４から離される。中間ローラ４から離された用紙８は、その後、シート収容部を構成する受け部材３１ａへと収容される。
【００８２】
図１２に示すように、扉３４は、搬送方向上流側に向かって回動して、用紙８の取り出し口を開口する。これによって、受け部材３１ａの内部へのアクセスができる状態にする。すでに説明したとおり、塗布装置１２は、前処理液塗布装置１２０に対して塗布装置１２はスライドレールを介して引き出し可能になっているので、塗布装置１２を引き出してから、扉３４を開くことで、用紙８を容易に取り出すことができる。
【００８３】
以上、本発明者によってなされた発明を好適な実施形態に基づき具体的に説明したが、本発明は上記実施形態で説明したものに限定されるものではなく、その要旨を逸脱しない範囲で種々変更可能であることはいうまでもない。
【符号の説明】
【００８４】
１      ：入口下ガイド板
２      ：塗布ローラ
３      ：分離爪
４      ：中間ローラ
５      ：絞りローラ
６      ：スクイーズローラ
７      ：前処理液
８      ：用紙
９      ：加圧ローラ
１０    ：サポートローラ
１１    ：回転軸
１２    ：塗布装置
１３    ：入口上ガイド板
１８    ：前処理液供給パン
３０    ：分離爪
３１    ：受け部材
３２    ：回転軸
３３    ：弾性体
３４    ：扉
３５    ：検知センサ
３６    ：検知センサ
３７    ：巻き付き検知センサ
４０    ：ストッパー
４２    ：調整ネジ
４３    ：固定部
１００  ：印刷システム
１１０  ：給送装置
１２０  ：前処理液塗布装置
１２１  ：加圧ユニット
１３０  ：プリンタ
１４０  ：乾燥装置
１５０  ：媒体排出装置
【先行技術文献】
【特許文献】
【００８５】
【特許文献１】特開２０１４−５８１１８号公報
【図１】
2019150758.tif 000003
【図２】
2019150758.tif 000004
【図３】
2019150758.tif 000005
【図４】
2019150758.tif 000006
【図５】
2019150758.tif 000007
【図６】
2019150758.tif 000008
【図７】
2019150758.tif 000009
【図８】
2019150758.tif 000010
【図９】
2019150758.tif 000011
【図１０】
2019150758.tif 000012
【図１１】
2019150758.tif 000013
【図１２】
2019150758.tif 000014